(57)【要約】      （修正有）【課題】ラミネート処理した後の接続タブの取出しが容易になり、ラミネートの切除が治具を使って行える太陽電池パネル用コネクタを提供する。【解決手段】電力取出し用の電気ケーブル５と太陽電池モジュール側の接続タグ４との電気接続を仲介する接続端子７と、接続端子７を内包する薄肉平板体であってその表裏面に貫通する貫通孔が設けられている絶縁ハウジング６と、前記絶縁ハウジング６の貫通孔における片側の開口部を閉蓋する着脱自在な蓋部材とでなり、接続端子７は、その中央部に電気ケーブルの心線の接続部との電気的接続を強化するための貫通孔が穿設されている太陽電池パネル用コネクタ。【選択図】図７
2013131536.tif 000002
【特許請求の範囲】
【請求項１】
パネル用バックシートに、封止材と該封止材に埋設される太陽電池セルと該太陽電池セルの電極に一端部が電気接続され前記バックシートに穿孔された貫通孔から外部に他端部が導出される接続タブとパネル表面を覆って保護する保護部材とを積層してなるパネルをラミネートして形成する真空ラミネートによる太陽電池モジュールの製造方法において、
前記接続タブの他端部に、電力取出し用の電気ケーブルとの電気接続を仲介する接続端子と該接続端子を内包する絶縁ハウジングとでなる電気コネクタをラミネート処理する前に予め接続し、
前記電気コネクタを前記パネルとともにラミネート処理し、
前記電気コネクタの一部のラミネートを剥がして、その剥がした部分において当該電気コネクタの接続端子に前記電気ケーブルの心線を電気的接続させて形成したこと、
を特徴とする太陽電池モジュールの製造方法。
【請求項２】
絶縁ハウジングは薄肉の平板体であり、その平板体の表裏面に貫通する貫通孔が設けられており、パネルとともにラミネート処理される前に、前記貫通孔の片側の開口部が蓋部材で閉蓋され、ラミネート処理後に前記蓋部材の部分のラミネートが剥がされるとともに、前記蓋部材も前記電気コネクタから撤去されて、当該電気コネクタの接続端子が露出され電気的接続が可能となること、
を特徴とする請求項１に記載の太陽電池モジュールの製造方法。
【請求項３】
接続端子は、その中央部に電気ケーブルの心線の接続部との電気的接続を強化するための貫通孔が穿設されていて、ラミネート処理後に蓋部材の部分のラミネートが剥がされるとともに前記蓋部材も電気コネクタから撤去された後に、前記貫通孔からパネル側に孔が打ち抜かれて、該貫通孔にパネル側に打ち抜かれた孔から接続端子側へとネジが挿入・螺合されて前記接続端子と電気ケーブルの接続部とが電気的接続されること、
を特徴とする請求項１または２に記載の太陽電池モジュールの製造方法。
【請求項４】
接続端子の貫通孔にパネル側から挿入・螺合されたネジの頭部とパネルとの間には、防水処理が施されるとともに、絶縁ハウジング及び蓋部材の側壁部には、ラミネート処理において内部に空気が侵入するのを防止するテーパが設けられていること、
を特徴とする請求項３に記載の太陽電池モジュールの製造方法。
【請求項５】
電力取出し用の電気ケーブルと太陽電池モジュール側の接続タグとの電気接続を仲介する接続端子と、該接続端子を内包する薄肉平板体であってその表裏面に貫通する貫通孔が設けられている絶縁ハウジングと、前記絶縁ハウジングの貫通孔における片側の開口部を閉蓋する着脱自在な蓋部材とでなり、
前記接続端子は、その中央部に電気ケーブルの心線の接続部との電気的接続を強化するための貫通孔が穿設されていること、
を特徴とする太陽電池パネル用コネクタ。
【請求項６】
接続端子は二股状に形成されていて、その二股の先端部で太陽電池モジュール側の接続タブを挟持して電気的接続がされること、
を特徴とする請求項５に記載の太陽電池パネル用コネクタ。
【請求項７】
二股形状の接続端子に設けられる中央部の貫通孔は、パネル側に近い方がネジ用の丸孔であり、遠い方が前記丸孔よりも大きな形状の孔であって電気ケーブル側の接続部の電気的接続用バネ片を窄めるように接触する大きさであること、
を特徴とする請求項６に記載の太陽電池パネル用コネクタ。
【発明の詳細な説明】
【技術分野】
【０００１】
本発明は、太陽電池パネル用コネクタに係り、更に詳しくは、低背型で電極を外部に取り出しやすくした太陽電池パネル用コネクタに関するものである。
【背景技術】
【０００２】
従来、太陽電池パネル用コネクタは、図１１に示すように、その製造工程において強化ガラス（フレキシブルパネルを含む）１２ｂ、配線したセル１２ｃ、封止材１２ｄ、バックシート１２ｅ等を積み重ねて、減圧下で加熱及び加圧して、モジュール化（真空ラミネート方式）する。その後、バックシート１２ｅからセル１２ｃに接続された接続タブ４をスリットを入れて外に引き出して、該接続タブ４にコネクタである端子ボックス１３を接続し、電気ケーブル５を通じて電気を取り出すものが知られている。
【０００３】
また、前記端子ボックスとケーブルとの接続構造に関して、従来例として特許文献１に記載されているように、太陽電池が取り付けられるパネルに、前記電極をパネルの他面側に露出させる貫通孔が形成され、前記電極とケーブルの心線とを電気的接続するための端子を挟持するバレルが設けられ、前記端子は、前記ケーブルの心線に圧着される圧着部と該圧着部に連接され前記貫通孔を通じて前記電極に接続される接続部を有しているものが知られている。
【先行技術文献】
【特許文献】
【０００４】
【特許文献１】特開平１１−２０４１５３号公報
【発明の概要】
【発明が解決しようとする課題】
【０００５】
しかし、従来の太陽電池パネル用コネクタにおいては、上記真空ラミネート方式により太陽電池パネルが製造される際に、プレス化された太陽電池モジュールにおいて、接続タブをバックシートから取り出す作業がある。この作業は、バックシートに切れ目を入れる作業、その切れ目から接続タブを引き出す作業、などであり、その取り出す作業が容易でない。本発明に係る太陽電池パネル用コネクタは、このような課題を解決するために提案されたものである。
【課題を解決するための手段】
【０００６】
本発明に係る太陽電池モジュールの製造方法の上記課題を解決して目的を達成するための要旨は、パネル用バックシートに、封止材と該封止材に埋設される太陽電池セルと該太陽電池セルの電極に一端部が電気接続され前記バックシートに穿孔された貫通孔から外部に他端部が導出される接続タブとパネル表面を覆って保護する保護部材とを積層してなるパネルをラミネートして形成する真空ラミネートによる太陽電池モジュールの製造方法において、前記接続タブの他端部に、電力取出し用の電気ケーブルとの電気接続を仲介する接続端子と該接続端子を内包する絶縁ハウジングとでなる電気コネクタをラミネート処理する前に予め接続し、前記電気コネクタを前記パネルとともにラミネート処理し、前記電気コネクタの一部のラミネートを剥がして、その剥がした部分において当該電気コネクタの接続端子に前記電気ケーブルの心線を電気的接続させて形成したことである。
【０００７】
前記絶縁ハウジングは薄肉の平板体であり、その平板体の表裏面に貫通する貫通孔が設けられており、パネルとともにラミネート処理される前に、前記貫通孔の片側の開口部が蓋部材で閉蓋され、ラミネート処理後に前記蓋部材の部分のラミネートが剥がされるとともに、前記蓋部材も前記電気コネクタから撤去されて、当該電気コネクタの接続端子が露出され電気的接続が可能となることである。
【０００８】
また、前記接続端子は、その中央部に電気ケーブルの心線の接続部との電気的接続を強化するための貫通孔が穿設されていて、ラミネート処理後に蓋部材の部分のラミネートが剥がされるとともに前記蓋部材も電気コネクタから撤去された後に、前記貫通孔からパネル側に孔が打ち抜かれて、該貫通孔にパネル側に打ち抜かれた孔から接続端子側へとネジが挿入・螺合されて前記接続端子と電気ケーブルの接続部とが電気的接続されることである。
【０００９】
更に、前記接続端子の貫通孔にパネル側から挿入・螺合されたネジの頭部とパネルとの間には、防水処理が施されるとともに、絶縁ハウジング及び蓋部材の側壁部には、ラミネート処理において内部に空気が侵入するのを防止するテーパが設けられていることを含むものである。
【００１０】
本発明に係る太陽電池パネル用コネクタの上記課題を解決して目的を達成するための要旨は、電力取出し用の電気ケーブルと太陽電池モジュール側の接続タグとの電気接続を仲介する接続端子と、該接続端子を内包する薄肉平板体であってその表裏面に貫通する貫通孔が設けられている絶縁ハウジングと、前記絶縁ハウジングの貫通孔における片側の開口部を閉蓋する着脱自在な蓋部材とでなり、前記接続端子は、その中央部に電気ケーブルの心線の接続部との電気的接続を強化するための貫通孔が穿設されていることである。
【００１１】
前記接続端子は二股状に形成されていて、その二股の先端部で太陽電池モジュール側の接続タブを挟持して電気的接続がされることである。
前記二股形状の接続端子に設けられる中央部の貫通孔は、パネル側に近い方がネジ用の丸孔であり、遠い方が前記丸孔よりも大きな形状の孔であって電気ケーブル側の接続部の電気的接続用バネ片を窄めるように接触する大きさであることを含むものである。
【発明の効果】
【００１２】
本発明の太陽電池モジュールの製造方法とそれに使用する太陽電池パネル用コネクタによれば、太陽電池モジュールの製造工程において、ラミネート処理した後の接続タブの取出しが容易になる。太陽電池パネル用コネクタを提供することで、ラミネートの切除が治具を使って行えるようになり、ラミネートの切除が容易になり、製造コストを低減して安価な太陽電池モジュールを提供できるようになる、と言う優れた効果を奏するものである。
【図面の簡単な説明】
【００１３】
【図１】本発明に係る太陽電池パネル用コネクタ１の使用状態の斜視図（Ａ）、カバーの蓋３ａを取った状態の斜視図（Ｂ）、電気ケーブル５ａが２端子の場合の使用状態斜視図（Ｃ）である。
【図２】同本発明の太陽電池パネル用コネクタ１の斜視図（Ａ）、接続端子７を上げて開口部６ａを見せている斜視図（Ｂ）、太陽電池パネル用コネクタ１の裏面の斜視図（Ｃ）である。
【図３】太陽電池パネル用コネクタ１の片側の開口部に蓋部材としてのキャップ８を取り付けて閉蓋した状態の斜視図である。
【図４】ラミネートをカットするためのカット治具１４の斜視図である。
【図５】ラミネート処理後において、蓋部材８部分のラミネートをカット治具１４で除去する手順を説明する説明図（Ａ）〜（Ｃ）である。
【図６】太陽電池パネル用コネクタ１をパネル２とともにラミネート処理した後、蓋部材８を取り除いて、接続端子７の貫通孔７ａを打ち抜く工程を示す斜視図である。
【図７】太陽電池パネル用コネクタ１に、電気ケーブル５を電気的に接続する様子を示す斜視図（Ａ）、接続タグ４と接続端子７の電気的接続の様子を示す一部断面にした斜視図（Ｂ）、接続端子７とケーブル端子１０のバネ片１０ａと接触構造を示す断面図（Ｃ）、接続端子７の裏面からネジ１１でケーブル端子１０を固定している様子の斜視図（Ｄ）である。
【図８】太陽電池パネル用コネクタ１にカバー３を被せた状態の平面図（Ａ）、側面図（Ｂ）、断面にした拡大側面図（Ｃ）である。
【図９】パネル２にカバー３を取り付ける場合のネジ１６を取り付ける様子を示す斜視図（Ａ）、同防水処理の箇所を示す説明図（Ｂ）である。
【図１０】２本の電気ケーブル５ａを太陽電池パネル用コネクタに接続する場合における、太陽電池パネル用コネクタ１ａの斜視図（Ａ）、下から見た斜視図（Ｂ）、太陽電池パネル用コネクタ１ａにカバー３を被せる様子を示す斜視図（Ｃ）、パネル２とともにラミネート処理した太陽電池パネル用コネクタ１ａに電気ケーブル５ａ接続する様子を示す斜視図（Ｄ）である。
【図１１】従来例に係る太陽電池モジュール１２の製造方法を示す、強化ガラスがある場合と樹脂パネルだけの場合の一部断面図（Ａ），（Ｂ）である。
【発明を実施するための形態】
【００１４】
本発明に係る太陽電池パネル用コネクタ１は、図１乃至図３に示すように、ラミネート処理できるようにして、太陽電池モジュールの製造方法を容易にするものである。
【実施例１】
【００１５】
本発明に係る太陽電池パネル用コネクタ１は、使用状態においては図１に示すように、当該太陽電池パネル用コネクタ１にカバー３を取り付けた状態になるものである。太陽電池モジュールのパネル２に、接続タグ４と、電力取出し用の電気ケーブル５，５ａがある。
【００１６】
前記太陽電池パネル用コネクタ１の構成は、図２（Ａ），（Ｂ）に示すように、電気ケーブル５と太陽電池モジュール側の接続タグ４との電気接続を仲介する接続端子７と、該接続端子７を内包する薄肉平板体であってその表裏面に貫通する貫通孔６ａが設けられている絶縁ハウジング６と、前記絶縁ハウジング６の貫通孔６ａにおける片側の開口部を閉蓋する着脱自在な蓋部材８とでなる。
【００１７】
前記絶縁ハウジング６は、その貫通孔６ａにおいて、前記接続端子７を内包して保持するための突起である支持軸６ｃが対向配置にして設けられている。この絶縁ハウジング6は、ラミネート処理におけるラミネート樹脂との密着性を向上させるために、ハウジングの底部から上に伸びる側壁部に大きくテーパを設けている。この絶縁ハウジング６に閉蓋する前記蓋部材８にも、テーパ形状が絶縁ハウジング６のテーパと連続するようにテーパが設けられている。これにより、絶縁ハウジング６の周囲から空気がパネル２内部に侵入することが無くなるものである。
【００１８】
前記接続端子７は、その中央部に電気ケーブル５の心線５ｂの接続部（ケーブル端子１０：図７（Ａ）参照）との電気的接続を強化するための貫通孔７ａが穿設されている。
【００１９】
前記接続端子７は、例えば、金属性バネ板材を半分に屈曲させ、二股状に形成されていて、図７（Ｂ）に示すように、その二股の先端部で、半円形状の凹部を対向させ、その凹部の間で太陽電池モジュール側の接続タブ４を挟持して電気的接続がされるようになっている。
【００２０】
また、前記二股形状の接続端子７に設けられる中央部の貫通孔７ａは、図２に示すように、パネル２に設置した状態において、パネル側に近い方がネジ用の丸孔７ｂであり、遠い方が前記丸孔７ｂよりも大きな形状の孔７ｃであって、図７（Ａ）に示すように、電気ケーブル５側の接続部（ケーブル端子１０）の電気的接続用バネ片１０ａを窄めるように接触する大きさである。
【００２１】
前記孔７ｃは、この実施例では略矩形状であるが、これに限らず楕円形状や丸形状でも良い。また、前記接続部（ケーブル端子１０）の電気的接続用バネ片１０ａとこの孔７ｂとの接触において、バネ片１０ａを窄めるように設定したのは、抵抗するバネ圧力で接続端子７との電気的接続が確実になされるようにするためである。
【００２２】
なお、前記ケーブル端子１０は、図７（Ａ）と図８（Ｃ）とに示すように、金属製平板体を屈曲させて、一端部で電気ケーブル５の心線５ｂに接続され、中央部が凹部となっていてその凹部の底に取付ネジ用のネジ孔が設けられ、他端部が前記接続端子７の先端部を押さえるようになっている。
【実施例２】
【００２３】
上記のような本発明に係る太陽電池パネル用コネクタ１を形成して、本発明に係る太陽電池モジュールの製造方法について説明する。図２（Ｃ）と図３に示すように、太陽電池パネル用コネクタ１に蓋部材８を取り付けるとともに、このコネクタ１の裏側には、耐熱フィルム９、例えば、ポリイミドフィルム（２６０℃耐熱）等を所望範囲に貼着する。なお、貫通孔７ａに対応する孔を穿設する必要はない。後に打ち抜かれるからである。
【００２４】
次に、太陽電池モジュールのパネル２におけるバックシートに、前記太陽電池パネル用コネクタ１を載置する。このとき、蓋部材８を開けてパネル２側の接続タグ４の端部と太陽電池パネル用コネクタ１の接続端子７の先端部とを、図７（Ｂ）に示すように、挟持させて電気的に接続する。絶縁ハウジング６内へのラミネートの流れ込みを阻止するために前記蓋部材８を閉じる。そして、パネル２及び太陽電池パネル用コネクタ１をラミネート処理する。
【００２５】
一方、図４に示すように、ラミネート１５ａの一部を除去するカット治具１４を製作しておく。このカット治具１４を使用して、図５（Ａ）〜（Ｃ）に示すように、前記ラミネート処理後において、ラミネートされた太陽電池パネル用コネクタ１の蓋部材８を取り除いて接続端子７を露出させるべく、前記電気コネクタ１の一部のラミネート除去部分１５を剥がす。
【００２６】
これにより、前記太陽電池パネル用コネクタ１から蓋部材８を取り除く。図６に示すように、太陽電池パネル用コネクタ１の接続端子７が露出されるので、貫通孔７ａを同形状で同じ大きさの専用工具等（フレキシブルパネルの場合には、ポンチ等）で上下方向に貫通させて穿孔する。これによって、太陽電池パネル用コネクタ１の裏側の耐熱フィルム９とパネル２とが丸孔に打ち抜かれる。
【００２７】
図７（Ａ）に示すように、前記太陽電池パネル用コネクタ１の剥がした部分において当該電気コネクタ１の接続端子７に前記電気ケーブル５の心線５ｂを電気的接続させる。このとき、図７（Ａ），（Ｄ）に示すように、太陽電池パネル用コネクタ１の裏側から前記貫通孔７ａにパネル２側に打ち抜かれた孔を貫通して接続端子７側へとネジ１１が挿入・螺合されて、ケーブル端子１０がネジ固定される。
【００２８】
前記ケーブル端子１０は、前記ネジ１１で螺合されると、図７（Ｃ）に示すように、接続端子７の下側に引っ張られて当接し、拡がって板バネ片１０ａが窄められて接続端子７の孔７ｃの縁に付勢力（矢印）で強く押し当てられて、電気的接続が確実になる。
【００２９】
こうして、前記接続端子７と電気ケーブル５の接続部であるケーブル端子１０とが電気的接続される。なお、図７（Ｂ）に示すように、接続タグ４と接続端子７とは、ラミネート前に電気的接続がされている。
【００３０】
次に、図８に示すように、前記太陽電池パネル用コネクタ１にカバー３が被せられる。そして、図９（Ａ），（Ｂ）に示すように、カバー３の取付け固定用のブッシュとパネル２側の孔位置を合わせて、ネジ１６で固定する。なお、図９（Ｂ）に示すように、接続端子７の貫通孔７ａにパネル２側から挿入・螺合されたネジ１１の頭部とパネル２との間には、防水処理が施される。前記ネジ１６の周囲には防水処理は不要である。
【実施例３】
【００３１】
図１０に示すように、取り出しのケーブルが２本の電気ケーブル５ａの場合を示しており、絶縁ハウジング６ｄ、蓋部材８ａ、耐熱フィルム９ａなどが、形状的に大きくなるだけであり、基本的構造は太陽電池パネル用コネクタ１と変わりはない。
【産業上の利用可能性】
【００３２】
本発明の太陽電池パネル用コネクタ１と太陽電池モジュールの製造方法は、太陽電池モジュールだけに限らず、通常の電気接続用コネクタとしても、低背型として適用できるものである。
【符号の説明】
【００３３】
１          太陽電池パネル用コネクタ、
２          パネル、
３          カバー、
４，４ａ    接続タグ、                      
５，５ａ    電気ケーブル、                    ５ｂ          心線、        
６          絶縁ハウジング、                  ６ａ          貫通孔、
６ｂ        導入用凹部、                      ６ｃ          支持軸、
６ｄ        絶縁ハウジング、
７          接続端子、                        ７ａ          貫通孔、
７ｂ        丸孔、                            ７ｃ          孔、
８          蓋部材、                          ８ａ          蓋部材、
９          耐熱フィルム、                    ９ａ          耐熱フィルム、
１０        ケーブル端子、                    １０ａ        バネ片、
１１        ネジ、
１２        太陽電池モジュール、              １２ａ        パネル、
１２ｂ      強化ガラス、                      １２ｃ        セル、
１２ｄ      封止材、                          １２ｅ        バックシート、
１３        端子ボックス、
１４        カット治具、
１５        ラミネート除去部分、              １５ａ        ラミネート、
１６        ネジ。
【図１】
2013131536.tif 000003
【図２】
2013131536.tif 000004
【図３】
2013131536.tif 000005
【図４】
2013131536.tif 000006
【図５】
2013131536.tif 000007
【図６】
2013131536.tif 000008
【図７】
2013131536.tif 000009
【図８】
2013131536.tif 000010
【図９】
2013131536.tif 000011
【図１０】
2013131536.tif 000012
【図１１】
2013131536.tif 000013